(57)【要約】【課題】剥落防止において用いられるアンカーボルトやナットが抜け落ちた場合に、落下しない落下防止機能を有する座金を提供する。【解決手段】座金１０は、本体部１１に設けられた対向する一対の落下防止羽根１３を有している。コンクリート構造物１００に、アンカーボルト２０が打ち込まれ、メッシュネット１１０と格子筋１２０と本体部１１をナット３０で固定した状態で、アンカーボルト２０が、コンクリート構造物１００から抜け落ちた場合に、またはナット３０が、抜け落ちた場合に、対向する一対の落下防止羽根１３が落下防止機能となり落下しないように構成されている。【選択図】図１
0003212743.tif 000002
【実用新案登録請求の範囲】
【請求項１】
コンクリート構造物の外面に、前記コンクリート構造物の剥離による落下を防止するメッシュ状のメッシュネットが当接され、前記メッシュネットに繊維強化プラスチックを材料として形成された格子状の格子筋が当接された状態において、前記格子筋に当接するような大きさに形成された座金であって、
本体部と、前記コンクリート構造物に前記メッシュネットと前記格子筋を固定するアンカーボルトが貫通するように前記本体部の中央部分に形成されたボルト貫通孔と、前記本体部に設けられた対向する一対の落下防止羽根を有し、
前記対向する一対の落下防止羽根のそれぞれは、前記メッシュネットと前記格子筋の間に嵌め込まれるように形成されていることを特徴とする座金。
【請求項２】
前記コンクリート構造物に、前記アンカーボルトが打ち込まれ、前記メッシュネットと前記格子筋と前記本体部をナットで固定した状態で、
前記アンカーボルトが、前記コンクリート構造物から抜け落ちた場合に、または前記ナットが、抜け落ちた場合に、
前記対向する一対の落下防止羽根が落下防止機能となり、落下しないように構成されていることを特徴とする請求項１に記載の座金。
【請求項３】
前記アンカーボルトは、先端部分の径が、大きくなるように形成されており、
前記ボルト貫通孔の径は、前期アンカーボルトの前記先端部分の径よりも小さくなるように形成されていることを特徴とする請求項２に記載の座金。
【考案の詳細な説明】
【技術分野】
【０００１】
本考案は、座金に関する。
【背景技術】
【０００２】
トンネルなどの外壁として用いられるコンクリート構造物の剥離による小さな剥落を防止するメッシュ状のメッシュネット及びコンクリート構造物の塊などの剥落を防止する格子状の筋としてメッシュネットに設けられた繊維強化樹脂で形成された格子筋を用いた剥落防止方法が知られている（特許文献参照）。
【０００３】
これらのメッシュネット及び格子筋は、コンクリート構造物の外壁に固定させるために、例えば、アンカーボルト、ナット及び座金が用いられる。アンカーボルトは、コンクリート構造物に打ち込まれ、例えば固化剤で固定化され、格子筋を覆う大きさの座金を介在し、ナットでアンカーボルトを締め付け固定している。
【先行技術文献】
【特許文献】
【０００４】
【特許文献１】特開２００６−００９２６６号公報
【考案の概要】
【考案が解決しようとする課題】
【０００５】
上記の剥落防止方法で用いられる座金は、アンカーボルトが抜け落ちた場合やナットが抜け落ちた場合に、この座金も落下してしまうという問題があった。
【０００６】
本考案は、こうした点に鑑みてなされたものであり、剥落防止において用いられるアンカーボルトやナットが抜け落ちた場合に、落下しない落下防止機能を有する座金を提供するものである。
【課題を解決するための手段】
【０００７】
上記課題を解決するために、本考案に係る座金は、コンクリート構造物の外面に、前記コンクリート構造物の剥離による落下を防止するメッシュ状のメッシュネットが当接され、前記メッシュネットに繊維強化プラスチックを材料として形成された格子状の格子筋が当接された状態において、前記格子筋に当接するような大きさに形成された座金であって、本体部と、前記コンクリート構造物に前記メッシュネットと前記格子筋を固定するアンカーボルトが貫通するように、前記本体部の中央部分に形成されたボルト貫通孔と、前記本体部に設けられた対向する一対の落下防止羽根を有し、前記対向する一対の落下防止羽根のそれぞれは、前記メッシュネットと前記格子筋の間に嵌め込まれるように形成されていることを特徴とする。
【０００８】
本考案に係る座金の態様について、前記コンクリート構造物に、前記アンカーボルトが打ち込まれ、前記メッシュネットと前記格子筋と前記本体部をナットで固定した状態で、前記アンカーボルトが前記コンクリート構造物から抜け落ちた場合に、または前記ナットが抜け落ちた場合に、前記対向する一対の落下防止羽根が落下防止機能となり、落下しないように構成されていることが好ましい。
【０００９】
本考案に係る座金の態様について、前記アンカーボルトは、先端部分の径が、大きくなるように形成されており、前記ボルト貫通孔の径は、前期アンカーボルトの前記先端部分の径よりも小さくなるように形成されていることが好ましい。
【考案の効果】
【００１０】
本考案は、剥落防止において用いられるアンカーボルトやナットが抜け落ちた場合に、落下しない落下防止機能を有する座金を提供することができる。
【図面の簡単な説明】
【００１１】
【図１】実施形態の座金を示す模式図である。
【図２】実施形態の座金を示す参考図である。
【考案を実施するための形態】
【００１２】
以下、本考案の実施形態に用いられる座金１０について図１及び図２を用いて説明する。図１（ａ）は座金１０の上面を示す模式図であり、図１（ｂ）は座金１０がコンクリート構造物１００に固定されている状態を説明する模式図であり、及び図２は座金１０が取り付けられている状態を示す参考図である。なお、図１に示す座金１０などの厚さは、説明の便宜上実際のものより大きく示している。
【００１３】
座金１０は、コンクリート構造物１００の外面に、コンクリート構造物１００の剥離による落下を防止するメッシュ状のメッシュネット１１０が当接され、メッシュネット１１０に繊維強化プラスチックを材料として形成された格子状の格子筋１２０が当接された状態において使用されるものである。なお、コンクリート構造物は、トンネル、梁、柱、桁、壁、床板、煙突、給水槽などの構築、補強などに使用されるものである。
【００１４】
また、座金１０は、格子筋１２０に当接するような大きさに形成されている。すなわち、格子筋１２０に座金１０の周辺部分が当接し、しっかりと押さえることができるように形成されている。
【００１５】
また、座金１０は、本体部１１と、コンクリート構造物１００にメッシュネット１１０と格子筋１２０を固定するためのアンカーボルト２０が貫通するように本体部１１の中央部分に形成されたボルト貫通孔１２と、本体部１１に設けられた対向する一対の落下防止羽根１３を有している。
【００１６】
対向する一対の落下防止羽根１３のそれぞれは、メッシュネット１１０と格子筋１２０の間に嵌め込まれるように形成されている。なお、落下防止羽根１３をメッシュネット１１０と格子筋１２０の間に嵌め込む方法は、例えば格子筋１２０の対角線上に一対の落下防止羽根１３を配置して、略９０度回転させながら嵌め込む方法もあるが、これに限定されず一対の落下防止羽根１３の構成に応じ適宜最適な方法を採用すればよい。
【００１７】
このような構成の座金１０を用いることで、コンクリート構造物１００に、アンカーボルト２０が打ち込まれ、メッシュネット１１０と格子筋１２０と本体部１１をナット３０で固定した状態で、アンカーボルト２０が、コンクリート構造物１００から抜け落ちた場合に、またはナット３０が、抜け落ちた場合に、対向する一対の落下防止羽根１３が落下防止機能となり、落下しないように構成されている。
【００１８】
すなわち、コンクリート構造物１００の反力不足などにより、アンカーボルト２０が抜け落ちた場合などでも、座金１０は、落下防止羽根１３を有していることにより、落下しない構成となっている。
【００１９】
また、実施形態において、アンカーボルト２０は、先端部分２０ａの径が、大きくなるように形成されている。そしてボルト貫通孔１２の径は、アンカーボルト２０の先端部分２０ａの径よりも小さくなるように形成されている。このようにアンカーボルト２０が形成されることで、このアンカーボルト２０が抜け落ちた場合に、先端部分２０ａが、ボルト貫通孔１２に引っかかることで、アンカーボルト２０が落下しないという作用効果を有している。
【００２０】
上記のとおり、本考案の座金１０は、落下防止羽根１３を有することで、アンカーボルト２０が抜け落ちた場合やナット３０が抜けおちた場合において、従来であれば、座金１０も同時に落下することになるが、落下しないという顕著な作用効果を有している。また、アンカーボルト２０が先端部分２０ａを有することで、このアンカーボルト２０が、コンクリート構造物１００から種々の理由により抜け落ちた場合においても、座金１０とともに落下しないという作用効果を有している。
【００２１】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００２２】
また、本考案の座金及び座金を用いた剥落防止構造の材質、大きさや形状、素材の厚さ、重さなど、多様な実施形態が可能であり、それらについて本実施形態と異なる形態による実施は、本考案の技術的範囲に含まれる。
【符号の説明】
【００２３】
１０      座金
１１      本体部
１２      ボルト貫通孔
１３      落下防止羽根
２０      アンカーボルト
２０ａ    先端部分
３０      ナット
１００      コンクリート構造物
１１０      メッシュネット
１２０      格子筋
【図１】
0003212743.tif 000003
【図２】
0003212743.tif 000004